(57)【要約】【課題】患者の顎堤の高さに応じた印象用トレーを低コストで提供する。【解決手段】印象用トレー１０は、顎堤の頂面と対面する側が凹状に湾曲した底部１４と、底部１４の外縁に沿って設けられ顎堤の側面を覆う湾曲した顎堤壁部１２と、顎堤壁部１２の一部を低くした低顎堤壁部１２Ｘと、低顎堤壁部１２Ｘに形成された嵌合部４０と、を有するベーストレー１０Ａと、低顎堤壁部１２Ｘの嵌合部４０に嵌合する被嵌合部５０を有し、顎堤壁部１２を形成する顎堤高調整ピース１２Ａと、を備える。【選択図】図５
2020081655.tif 000002
【特許請求の範囲】
【請求項１】
顎堤の頂面と対面する側が凹状に湾曲した底部と、前記底部の外縁に沿って設けられ前記顎堤の側面を覆う湾曲した顎堤壁部と、前記顎堤壁部の一部を低くした低顎堤壁部と、前記低顎堤壁部に形成された嵌合部と、を有するベーストレーと、
前記低顎堤壁部の前記嵌合部に嵌合する被嵌合部を有し、前記顎堤壁部を形成する顎堤高調整ピースと、
を備える印象用トレー。
【請求項２】
前記低顎堤壁部は、臼歯に対応する領域に形成されている、
請求項１に記載の印象用トレー。
【請求項３】
顎堤の頂面と対面する側が凹状に湾曲した底部と、
前記底部の外縁に沿って設けられ前記顎堤の側面を覆う湾曲した顎堤壁部と、
前記顎堤壁部の一部を低くした低顎堤壁部と、
前記低顎堤壁部に形成された嵌合部と、を有し、
前記低顎堤壁部の前記嵌合部に嵌合する被嵌合部を有する顎堤高調整ピースと共に前記顎堤壁部を形成する、印象用トレーのベーストレー。
【請求項４】
顎堤の頂面と対面する側が凹状に湾曲した底部と、前記底部の外縁に沿って設けられ前記顎堤の側面を覆う湾曲した顎堤壁部と、前記顎堤壁部の一部を低くした低顎堤壁部と、前記低顎堤壁部に形成された嵌合部と、を備えるベーストレーの前記低顎堤壁部の前記嵌合部に嵌合する被嵌合部を有し、
前記低顎堤壁部と共に前記顎堤壁部を形成する、印象用トレーの顎堤高調整ピース。
【発明の詳細な説明】
【技術分野】
【０００１】
本発明は、印象用トレー、印象用トレーに用いられるベーストレー及び顎堤高調整ピースに関する。
【背景技術】
【０００２】
従来、歯科治療では、口腔内で上顎又は下顎の歯がすべて無くなった患者の義歯（入れ歯）を製作する際、口腔粘膜の印象（型）を採得するため、印象用トレーが使用される。通常、印象用トレーは凹部を有し、凹部の内側にアルジネート等の印象採得用の印象材が盛られて保持される。印象用トレーは、印象材が保持された状態で口腔内に差し込まれ、顎堤に向かって押し込まれて嵌め合わされる。一定時間が経過し印象材がある程度固化した後、印象用トレーは口腔から取り出される。また、この印象用トレーを用いて、印象採得後に患者の咬合高さを採得する場合もある。
【０００３】
こうした印象用トレーとして、例えば特許文献１には、印象採得及び咬合高さ採得の両方に使用される印象用トレーが開示されている。特許文献１の場合、咬合高さ採得時、作業の邪魔にならないように、喉側となる印象用トレーの後側の端部だけが部分的に取り外される。
【先行技術文献】
【特許文献】
【０００４】
【特許文献１】特許第５６３９１５９号公報
【発明の概要】
【発明が解決しようとする課題】
【０００５】
ところで、印象採得のため印象用トレーが嵌め合わされる際には、歯茎、舌、頬側の粘膜等の顎堤の周囲の組織への印象用トレーの接触が少なく、できるだけ自然な表情が得られることが重要である。印象用トレーが歯茎等に強く触れると患者が違和感を覚え、顎堤の周囲の組織を過度に緊張させてしまい、印象の正確な採得が困難になるためである。この点、顎堤の高さは患者一人一人で異なる。
【０００６】
特許文献１の場合、咬合高さの採得時に印象用トレーの後側の端部だけを部分的に取り外すことは可能であるが、印象採得時には取り付ける必要があるため、顎堤の周囲の組織に印象用トレーが接触する懸念がある。このように、従来の印象用トレーは、患者毎の顎堤の高さに十分対応して設計されていないため、顎堤の高さの違いに応じようとすると、患者一人一人の印象用トレーをオーダーメイドで作製することとなり、印象用トレーが高コストになるという問題が生じていた。
【０００７】
本発明は上記の問題に鑑み、患者の顎堤の高さに応じた印象用トレーを低コストで提供することを目的とする。
【課題を解決するための手段】
【０００８】
上記課題を解決するための手段は、以下の態様を含む。
＜１＞顎堤の頂面と対面する側が凹状に湾曲した底部と、前記底部の外縁に沿って設けられ前記顎堤の側面を覆う湾曲した顎堤壁部と、前記顎堤壁部の一部を低くした低顎堤壁部と、前記低顎堤壁部に形成された嵌合部と、を有するベーストレーと、前記低顎堤壁部の前記嵌合部に嵌合する被嵌合部を有し、前記顎堤壁部を形成する顎堤高調整ピースと、を備える印象用トレー。
【０００９】
上記＜１＞の構成によれば、複数の顎堤高調整ピースの中から患者の顎堤高さに応じて、適切な顎堤高調整ピースを選択し、被嵌合部をベーストレーの嵌合部に嵌合させる。嵌合して一体化されたベーストレーと顎堤高調整ピースとによって、患者の顎堤高さにフィットする印象用トレーを構成できる。すなわち、高さの異なる顎堤高調整ピースを複数用意することで、一つのベーストレーで患者の顎堤の高さに応じた印象用トレーを低コストで構成できる。
【００１０】
＜２＞前記低顎堤壁部は、臼歯に対応する領域に形成されている、＜１＞に記載の印象用トレー。
【００１１】
顎堤の臼歯に対応する領域は、患者の顎堤高さの個人差が一番大きい領域である。上記＜２＞の構成によれば、この個人差が一番大きい領域に低顎堤壁部を形成し顎堤高調整ピースを嵌合させることで、使い勝手の良い印象用トレーを構成することができる。
【００１２】
＜３＞顎堤の頂面と対面する側が凹状に湾曲した底部と、前記底部の外縁に沿って設けられ前記顎堤の側面を覆う湾曲した顎堤壁部と、前記顎堤壁部の一部を低くした低顎堤壁部と、前記低顎堤壁部に形成された嵌合部と、を有し、前記低顎堤壁部の前記嵌合部に嵌合する被嵌合部を有する顎堤高調整ピースと共に前記顎堤壁部を形成する、印象用トレーのベーストレー。
【００１３】
上記＜３＞の構成によれば、高さの異なる顎堤高調整ピースを複数用意することで、患者の顎堤の高さに応じた印象用トレーを低コストで構成可能なベーストレーを実現できる。
【００１４】
＜４＞顎堤の頂面と対面する側が凹状に湾曲した底部と、前記底部の外縁に沿って設けられ前記顎堤の側面を覆う湾曲した顎堤壁部と、前記顎堤壁部の一部を低くした低顎堤壁部と、前記低顎堤壁部に形成された嵌合部と、を備えるベーストレーの前記低顎堤壁部の前記嵌合部に嵌合する被嵌合部を有し、前記低顎堤壁部と共に前記顎堤壁部を形成する、印象用トレーの顎堤高調整ピース。
【００１５】
上記＜４＞の構成によれば、高さの異なる顎堤高調整ピースを複数用意することで、患者の顎堤の高さに応じた印象用トレーを低コストで構成できる。
【発明の効果】
【００１６】
本発明に係る印象用トレー、印象用トレーのベーストレー、及び印象用トレーの顎堤高調整ピースによれば、患者の顎堤の高さに応じた印象用トレーを低コストで実現できる。
【図面の簡単な説明】
【００１７】
【図１】本発明の第１実施形態に係る印象用トレー（上顎印象用トレー）の構成の概略を説明する斜視図である。
【図２】口腔内の構成の概略を説明する前額断面図である。
【図３】上顎印象用トレーを上方から見た平面図である。
【図４】図３中の４−４線断面図である。
【図５】顎堤高調整ピースが取り外された状態の上顎印象用トレーを説明する平面図である。
【図６】（Ａ）は第１実施形態に係る上顎印象用トレーの側面図であり、（Ｂ）は（Ａ）の顎堤高調整ピースとは異なる顎堤高調整ピースを備えた上顎印象用トレーの側面図であり、（Ｃ）は（Ａ）の顎堤高調整ピースとは更に異なる顎堤高調整ピースを備えた上顎印象用トレーの側面図である。
【図７】本発明の第２実施形態に係る印象用トレー（下顎印象用トレー）の構成の概略を説明する斜視図である。
【図８】下顎印象用トレーを下方から見た平面図（底面図）である。
【図９】図８中の９−９線断面図である。
【図１０】顎堤高調整ピースが取り外された状態の下顎印象用トレーを説明する平面図である。
【図１１】（Ａ）は第２実施形態に係る下顎印象用トレーの側面図であり、（Ｂ）は（Ａ）の顎堤高調整ピースとは異なる高い顎堤高調整ピースを備えた下顎印象用トレーの側面図であり、（Ｃ）は（Ａ）の顎堤高調整ピースとは更に異なる顎堤高調整ピースを備えた下顎印象用トレーの側面図である。
【図１２】第２実施形態の変形例に係る下顎印象用トレーの断面図である。
【図１３】（Ａ）は変形例に係る下顎印象用トレーの側面図であり、（Ｂ）は（Ａ）の顎堤高調整ピースとは異なる顎堤高調整ピースを備えた下顎印象用トレーの側面図であり、（Ｃ）は（Ａ）の顎堤高調整ピースとは更に異なる顎堤高調整ピースを備えた下顎印象用トレーの側面図である。
【図１４】（Ａ）は他の実施形態に係る上顎印象用トレーの斜視図であり、（Ｂ）は（Ａ）に示した上顎印象用トレーの図３中の４−４線と同じ位置における断面図である。
【図１５】（Ａ）は他の実施形態に係る下顎印象用トレーの斜視図であり、（Ｂ）は（Ａ）に示した下顎印象用トレーの図８中の９−９線と同じ位置における断面図である。
【発明を実施するための形態】
【００１８】
以下に本発明の実施形態を説明する。以下の図面の記載において、同一の部分及び類似の部分には、同一の符号又は類似の符号を付している。但し、図面における厚みと平面寸法との関係、各装置や各部材の厚みの比率等は現実のものとは異なる。したがって、具体的な厚みや寸法は以下の説明を参酌して判定すべきものである。また、図面相互間においても互いの寸法の関係や比率が異なる部分が含まれている。
【００１９】
−第１実施形態−
＜上顎印象用トレー＞
図１に示すように、第１実施形態に係る印象用トレー（上顎印象用トレー）１０は、ベーストレー１０Ａと、顎堤高調整ピース１２Ａとを備える。ベーストレー１０Ａは、底部１４と、顎堤壁部１２と、低顎堤壁部１２Ｘとで構成され、例えば熱可塑性プラスチック等の樹脂で一体成形されている。上顎印象用トレー１０は、図２に示すように、上顎１１０の上顎堤１１１に嵌め合わされ、上顎粘膜の印象を採得するために使用される。上顎粘膜は、上顎堤１１１の粘膜及び口蓋１０２の粘膜を含む。
【００２０】
図３に示すように、上顎印象用トレー１０は、中心軸Ｃ１に対して左右対称である。中心軸Ｃ１は、人体の正中面に平行な軸線であり、底部１４の長手方向（図３中の上下方向）に沿って延びるように設定されている。
【００２１】
図１に示したように、底部１４は、中央が上側に隆起することによって、口蓋と対面する側が凸状に湾曲している。また、底部１４の中央の周囲で上顎堤１１１の頂面と対面する側は、凹状に湾曲している。なお、本発明においては、底部１４の中央が隆起することなく、平坦であってもよい。
【００２２】
顎堤壁部１２は、底部１４の外縁に沿って上側に起立するように設けられ、上顎堤１１１の側面を覆うように湾曲している。図３に示したように、顎堤壁部１２の厚みは、ほぼ一定である。底部１４の凹状に湾曲した内壁面と、顎堤壁部１２の湾曲した内壁面とによって、上顎堤１１１を覆う凹部１６が、平面視でＵ字状に構成される。
【００２３】
第１実施形態では、低顎堤壁部１２Ｘは、上顎堤１１１において奥歯が位置する側である後側、かつ、外側の顎堤壁部２２の領域に設けられ、この低顎堤壁部１２Ｘの上に、顎堤高調整ピース１２Ａが配置されている。上顎印象用トレー１０が上顎堤１１１に嵌め合わせられると、顎堤高調整ピース１２Ａは、頬１０６側の口腔粘膜に近接する（図２参照）。
【００２４】
図１に示したように、上顎印象用トレー１０の凹部１６が上側に開口するように上顎印象用トレー１０を配置した状態において、低顎堤壁部１２Ｘの上端は、顎堤壁部１２の前側の領域の上端より低い。このように、第１実施形態における低顎堤壁部１２Ｘは、顎堤壁部１２の一部を低くした領域として設定される。
【００２５】
図３中の凹部１６の内側には、上顎堤１１１の左右７本ずつのそれぞれの歯に対応する領域が、点線で例示されている。これら７対の歯のうち、図３中の上側となる前側の３対は前歯であり、図３中の下側となる後側の４対は奥歯である。４対の奥歯は、第１小臼歯１１４、第２小臼歯１１５、第１大臼歯１１６及び第２大臼歯１１７である。
【００２６】
図４は、中心軸Ｃ１に直交する面によって断面された図である。図４に示すように、顎堤高調整ピース１２Ａは、左右に対称的に対をなして設けられ、それぞれの顎堤高調整ピース１２Ａの構造は等価である。顎堤高調整ピース１２Ａは、左右の顎堤壁部１２の一部分をなし、顎堤高調整ピース１２Ａの内壁面とベーストレー１０Ａの内壁面とは、滑らかに連続している。
【００２７】
左右の顎堤高調整ピース１２Ａは、図３に示したように、平面視で、第１小臼歯１１４、第２小臼歯１１５、第１大臼歯１１６及び第２大臼歯１１７の４本の奥歯の位置の側方でそれぞれ延びている。すなわち、顎堤高調整ピース１２Ａは、上顎堤１１１におけるすべての臼歯に対応する領域に形成され、この領域を覆うように配置されている。なお、第１実施形態では図示を省略するが、顎堤高調整ピース１２Ａは、第２大臼歯１１７の後側の第３大臼歯（親不知）に対応する領域に位置するように延長されてもよい。
【００２８】
図５に示すように、低顎堤壁部１２Ｘには、嵌合部４０が設けられると共に、顎堤高調整ピース１２Ａには被嵌合部５０が設けられ、嵌合部４０と被嵌合部５０とは嵌合する。顎堤高調整ピース１２Ａは、ほぼ矩形状であり、ベーストレー１０Ａと同様に、例えば熱可塑性プラスチック等の樹脂で成形されている。
【００２９】
嵌合部４０は、前側凸部４２、中央凹部４４及び後側凸部４６を有する。前側凸部４２は、矩形の板状であり、低顎堤壁部１２Ｘの上部の前端に、低顎堤壁部１２Ｘより薄い厚みで低顎堤壁部１２Ｘの上端から上側に突出するように設けられている。
【００３０】
中央凹部４４は、低顎堤壁部１２Ｘの上部の中央に、低顎堤壁部１２Ｘの厚みの半分程度の深さで設けられている。中央凹部４４の内側の空間の形状は、矩形の板状である。後側凸部４６は、矩形の板状であり、低顎堤壁部１２Ｘの上部の後端に、低顎堤壁部１２Ｘより薄い厚みで低顎堤壁部１２Ｘの上端から上側に突出するように設けられている。
【００３１】
被嵌合部５０は、前側凹部５２、中央凸部５４及び後側凹部５６を有する。前側凹部５２は、顎堤高調整ピース１２Ａの下部（低顎堤壁部１２Ｘ寄りの領域）の前端に、ベーストレー１０Ａ側の前側凸部４２の厚みとほぼ等しい深さで設けられている。前側凹部５２の内側の空間の形状は、前側凸部４２に対応する矩形の板状である。
【００３２】
中央凸部５４は、矩形の板状であり、顎堤高調整ピース１２Ａの下部の中央に、ベーストレー１０Ａ側の中央凹部４４の深さとほぼ等しい厚みで設けられている。後側凹部５６は、顎堤高調整ピース１２Ａの下部の前端に、ベーストレー１０Ａ側の後側凸部４６の厚みとほぼ等しい深さで設けられている。後側凹部５６の内側の空間の形状は、後側凸部４６に対応する矩形の板状である。
【００３３】
顎堤高調整ピース１２Ａの前側凹部５２には、ベーストレー１０Ａの前側凸部４２が嵌め合わせられる。また、ベーストレー１０Ａの中央凹部４４には、顎堤高調整ピース１２Ａの中央凸部５４が嵌め合わせられる。また、顎堤高調整ピース１２Ａの後側凹部５６には、ベーストレー１０Ａの後側凸部４６が嵌め合わせられる。このように、互いに対応する凸部と凹部とが嵌合することによって、顎堤高調整ピース１２Ａとベーストレー１０Ａとが一体化され、上顎印象用トレー１０が形成される。顎堤高調整ピース１２Ａは、ベーストレー１０Ａに対して着脱自在である。
【００３４】
図６（Ａ）中には、図１及び図３〜図５中で説明した顎堤高調整ピース１２Ａが取り付けられた上顎印象用トレー１０が例示されている。一方、図６（Ｂ）中には、図６（Ａ）中の顎堤高調整ピース１２Ａより上下方向の長さが長い顎堤高調整ピース１２Ｂが取り付けられた上顎印象用トレー１０が例示されている。この顎堤高調整ピース１２Ｂには、顎堤高調整ピース１２Ａの被嵌合部５０と等価な被嵌合部５０が設けられており、顎堤高調整ピース１２Ｂは、顎堤高調整ピース１２Ａと同様にベーストレー１０Ａと着脱自在に嵌合する。図６（Ｂ）中の上顎印象用トレー１０の顎堤壁部１２の高さＨ２は、図６（Ａ）中の顎堤壁部１２の高さＨ１より高い。
【００３５】
また、図６（Ｃ）中には、図６（Ａ）中の顎堤高調整ピース１２Ａより上下方向の長さが短い顎堤高調整ピース１２Ｃが取り付けられた上顎印象用トレー１０が例示されている。この顎堤高調整ピース１２Ｃにも、顎堤高調整ピース１２Ａの被嵌合部５０と等価な被嵌合部５０が設けられており、顎堤高調整ピース１２Ｃは、顎堤高調整ピース１２Ａと同様にベーストレー１０Ａと着脱自在に嵌合する。図６（Ｃ）中の上顎印象用トレー１０の顎堤壁部１２の高さＨ３は、図６（Ａ）中の顎堤壁部１２の高さＨ１より低い。
【００３６】
図６（Ａ）〜図６（Ｃ）に示すように、顎堤高調整ピース１２Ａ〜１２Ｃは、ベーストレー１０Ａとそれぞれ嵌合して、高さが異なる顎堤壁部１２を形成する。なお、図６中の顎堤壁部１２の高さＨ１〜Ｈ３は、それぞれの上顎印象用トレー１０を水平面上に載置した状態で、鉛直方向に測定して得られている。
【００３７】
（作用効果）
第１実施形態に係る上顎印象用トレー１０によれば、複数の顎堤高調整ピース１２Ａ〜１２Ｃの中から患者の上顎堤１１１の顎堤高さに応じて、適切な顎堤高調整ピース１２Ａ〜１２Ｃを選択し、被嵌合部５０をベーストレー１０Ａの嵌合部４０に嵌合させる。嵌合して一体化されたベーストレー１０Ａと顎堤高調整ピース１２Ａ〜１２Ｃとによって、患者の顎堤高さにフィットする上顎印象用トレー１０を構成できる。
【００３８】
すなわち、高さの異なる顎堤高調整ピース１２Ａ〜１２Ｃを複数用意することで、本体であるベーストレー１０Ａそのものは交換する必要がなく一つで済み、顎堤高調整ピース１２Ａ〜１２Ｃのみ部分的に交換するだけで印象用トレー１０の高さが調整可能になる。このため、患者の顎堤の高さに応じた上顎印象用トレー１０を、低コストで実現できる。
【００３９】
また、第１実施形態では、顎堤高調整ピース１２Ａ〜１２Ｃによって、顎堤壁部１２の一部分の領域のみ交換される。換言すると、上顎堤１１１の頂面、内側面及び外側面の３面を覆う上顎印象用トレー１０の領域のうち、頂面や外側面を覆う部分は交換されない。このように、交換する部分が、顎堤壁部１２の一部分の領域に限定されているので、部品として用意する顎堤高調整ピース１２Ａ〜１２Ｃの材料を少なく抑えることができ、コスト面や取り扱いの面で、一層有利である。
【００４０】
−第２実施形態−
＜下顎印象用トレー＞
図７に示すように、第２実施形態に係る印象用トレー（下顎印象用トレー）２０は、ベーストレー２０Ａと、顎堤高調整ピース２２Ａとを備える。ベーストレー２０Ａは、底部２４と、顎堤壁部２２と、低顎堤壁部２２Ｘとで構成され、例えば熱可塑性プラスチック等の樹脂で一体成形されている。下顎印象用トレー２０は、下顎１２０（図２参照）の下顎堤１２１に嵌め合わされ、下顎堤１２１の下顎粘膜の印象を採得するために使用される。
【００４１】
図８に示すように、下顎印象用トレー２０は、中心軸Ｃ２に対して左右対称である。中心軸Ｃ２は、人体の正中面に平行な軸線であり、底部２４の長手方向（図８中の上下方向）に沿って延びるように設定されている。
【００４２】
底部２４は、平面視でＶ字状であり、下顎堤１２１の頂面と対面する側が凹状に湾曲している。顎堤壁部２２は、底部２４のＶ字の外縁に沿って下垂するように設けられ、下顎堤１２１の側面を覆うように湾曲している。底部２４の凹状に湾曲した内壁面と、顎堤壁部２２の湾曲した内壁面とによって、下顎堤１２１を覆う凹部２６が、平面視でＶ字状に構成される。
【００４３】
第２実施形態では、低顎堤壁部２２Ｘは、下顎堤１２１において奥歯が位置する側である後側、かつ、内側の顎堤壁部２２の領域に設けられ、この低顎堤壁部２２Ｘの上に、顎堤高調整ピース２２Ａが配置されている。下顎印象用トレー２０が下顎堤１２１に嵌め合わせられると、顎堤高調整ピース２２Ａは、舌１０４に近接する（図２参照）。
【００４４】
図７に示した状態の下顎印象用トレー２０の天地を反転し、下顎印象用トレー２０の凹部２６が上側に開口するように下顎印象用トレー２０を配置した状態において、低顎堤壁部２２Ｘの上端は、顎堤壁部２２の前側の領域の上端より低い。このように、第２実施形態における低顎堤壁部２２Ｘは、顎堤壁部２２の一部を低くした領域として設定される。
【００４５】
図８中の凹部２６の内側には、下顎堤１２１の左右８本ずつのそれぞれの歯に対応する領域が、点線で例示されている。これら８対の歯のうち、図８中の上側となる前側の４対は前歯であり、図８中の下側となる後側の４対は奥歯である。４対の奥歯は、第１小臼歯１２５、第２小臼歯１２６、第１大臼歯１２７及び第２大臼歯１２８である。
【００４６】
図９は、中心軸Ｃ２に直交する面によって断面された図である。図９に示すように、顎堤高調整ピース２２Ａは、左右に対称的に対をなして設けられ、それぞれの顎堤高調整ピース２２Ａの構造は等価である。顎堤高調整ピース２２Ａは、左右の顎堤壁部２２の一部分をなし、顎堤高調整ピース２２Ａの内壁面とベーストレー２０Ａの内壁面とは、滑らかに連続している。
【００４７】
左右の顎堤高調整ピース２２Ａは、図８に示したように、平面視で、第１小臼歯１２５、第２小臼歯１２６、第１大臼歯１２７及び第２大臼歯１２８の４本の奥歯の位置の側方でそれぞれ延びている。すなわち、顎堤高調整ピース２２Ａは、下顎堤１２１におけるすべての臼歯に対応する領域に形成され、この領域を覆うように配置されている。なお、第１実施形態の場合と同様に、顎堤高調整ピース２２Ａは、２大臼歯１２８の後側の第３大臼歯（親不知）に対応する領域に位置するように延長されてもよい。
【００４８】
図１０に示すように、低顎堤壁部２２Ｘには、嵌合部６０が設けられると共に、顎堤高調整ピース２２Ａには被嵌合部７０が設けられ、嵌合部６０と被嵌合部７０とは嵌合する。顎堤高調整ピース２２Ａは、ほぼ矩形状であり、ベーストレー２０Ａと同様に、例えば熱可塑性プラスチック等の樹脂で成形されている。
【００４９】
嵌合部６０は、前側凸部６２、中央凹部６４及び後側凸部６６を有する。第２実施形態の嵌合部６０の前側凸部６２、中央凹部６４及び後側凸部６６は、第１実施形態の嵌合部４０の前側凸部４２、中央凹部４４及び後側凸部４６と、それぞれ同様の構成であるため、重複説明を省略する。
【００５０】
また、被嵌合部７０は、前側凹部７２、中央凸部７４及び後側凹部７６を有する。第２実施形態の被嵌合部７０の前側凹部７２、中央凸部７４及び後側凹部７６は、第１実施形態の被嵌合部５０の前側凹部５２、中央凸部５４及び後側凹部５６と、それぞれ同様の構成であるため、重複説明を省略する。
【００５１】
第２実施形態においても、互いに対応する凸部と凹部とが嵌合することによって、顎堤高調整ピース２２Ａとベーストレー２０Ａとが一体化され、下顎印象用トレー２０が形成される。顎堤高調整ピース２２Ａは、ベーストレー２０Ａに対して着脱自在である。
【００５２】
図１１（Ａ）中には、図７〜図１０中で説明した顎堤高調整ピース２２Ａが取り付けられた下顎印象用トレー２０が例示されている。一方、図１１（Ｂ）中には、図１１（Ａ）中の顎堤高調整ピース２２Ａより上下方向の長さが長い顎堤高調整ピース２２Ｂが取り付けられた下顎印象用トレー２０が例示されている。この顎堤高調整ピース２２Ｂには、顎堤高調整ピース２２Ａの被嵌合部７０と等価な被嵌合部７０が設けられており、顎堤高調整ピース２２Ｂは、顎堤高調整ピース２２Ａと同様にベーストレー２０Ａに着脱自在に嵌合する。図１１（Ｂ）中の下顎印象用トレー２０の顎堤壁部２２の高さＨ５は、図１１（Ａ）中の顎堤壁部２２の高さＨ４より高い。
【００５３】
また、図１１（Ｃ）中には、図１１（Ａ）中の顎堤高調整ピース２２Ａより上下方向の長さが短い顎堤高調整ピース２２Ｃが取り付けられた下顎印象用トレー２０が例示されている。この顎堤高調整ピース２２Ｃにも、顎堤高調整ピース２２Ａの被嵌合部７０と等価な被嵌合部７０が設けられており、顎堤高調整ピース２２Ｃは、顎堤高調整ピース２２Ａと同様にベーストレー２０Ａに着脱自在に嵌合する。図１１（Ｃ）中の下顎印象用トレー２０の顎堤壁部２２の高さＨ６は、図１１（Ａ）中の顎堤壁部２２の高さＨ４より低い。
【００５４】
図１１（Ａ）〜図１１（Ｃ）に示すように、顎堤高調整ピース２２Ａ〜２２Ｃは、ベーストレー２０Ａとそれぞれ嵌合して、高さが異なる顎堤壁部２２を形成する。なお、図１１中の顎堤壁部２２の高さＨ４〜Ｈ６は、それぞれの下顎印象用トレー２０を、頂面を水平に揃えた下顎堤１２１に嵌め合わせた状態で、鉛直方向に測定して得られている。しかし、例えば下顎印象用トレー２０を、凹部２６が上側に開口するように、底部２４側を下にして水平面上に載置した状態で、鉛直方向の長さを測定して得てもよい。
【００５５】
（作用効果）
第２実施形態に係る下顎印象用トレー２０によれば、複数の顎堤高調整ピース２２Ａ〜２２Ｃの中から患者の下顎堤１２１の顎堤高さに応じて、適切な顎堤高調整ピース２２Ａ〜２２Ｃを選択し、被嵌合部７０をベーストレー２０Ａの嵌合部６０に嵌合させる。嵌合して一体化されたベーストレー２０Ａと顎堤高調整ピース２２Ａ〜２２Ｃとによって、患者の顎堤高さにフィットする下顎印象用トレー２０を構成できる。このため、第１実施形態の場合と同様、患者の顎堤の高さに応じた上顎印象用トレー１０を、低コストで実現できる。第２実施形態に係る下顎印象用トレー２０の他の効果については、第１実施形態の場合と同様である。
【００５６】
＜変形例＞
図７〜図１１に示した下顎印象用トレー２０では、舌１０４側の顎堤壁部２２の領域に低顎堤壁部２２Ｘが設けられていた。しかし、図１２に示すように、低顎堤壁部２２Ｘは、下顎堤１２１において奥歯が位置する側である後側、かつ、外側の顎堤壁部２２の領域に設けられ、この低顎堤壁部２２Ｘの上に、顎堤高調整ピース２２Ｄが配置されてもよい。変形例に係る下顎印象用トレー２０が下顎堤１２１に嵌め合わせられると、顎堤高調整ピース２２Ｄは、頬１０６側の口腔粘膜に近接する（図２参照）。
【００５７】
図１３（Ａ）〜図１３（Ｃ）に示すように、変形例に係る下顎印象用トレー２０では、ベーストレー２０Ａの低顎堤壁部２２Ｘに嵌合部８０が設けられる。この嵌合部８０は、前側凸部８２、中央凹部８４及び後側凸部８６を有する。変形例の嵌合部８０の前側凸部８２、中央凹部８４及び後側凸部８６は、第２実施形態の嵌合部６０の前側凸部６２、中央凹部６４及び後側凸部６６と、それぞれ同様の構成である。
【００５８】
また、図示を省略するが、顎堤高調整ピース２２Ｄには被嵌合部が設けられ、この被嵌合部とベーストレー２０Ａの嵌合部８０とは嵌合する。変形例に係る下顎印象用トレー２０の他の構成については、第２実施形態に係る下顎印象用トレー２０における同名の部材と同様であるため、重複説明を省略する。
【００５９】
図１３（Ｂ）中で顎堤高調整ピース２２Ｅが取り付けられた下顎印象用トレー２０の顎堤壁部２２の高さＨ８は、図１３（Ａ）中で顎堤高調整ピース２２Ｄが取り付けられた顎堤壁部２２の高さＨ７より高い。また、図１３（Ｃ）中で顎堤高調整ピース２２Ｆが取り付けられた下顎印象用トレー２０の顎堤壁部２２の高さＨ９は、図１３（Ａ）中で顎堤高調整ピース２２Ｄが取り付けられた顎堤壁部２２の高さＨ７より低い。
【００６０】
このように、頬１０６側に低顎堤壁部２２Ｘが設けられた下顎印象用トレー２０においても、ベーストレー２０Ａから顎堤高調整ピース２２Ｄを取り外し、代わりに顎堤高調整ピース２２Ｅ又は顎堤高調整ピース２２Ｆを取り付けることができる。そして、患者毎に異なる高さの下顎堤１２１に対応することが可能になる。
【００６１】
＜その他の実施形態＞
本発明は上記の開示した実施の形態によって説明したが、この開示の一部をなす論述及び図面は、本発明を限定するものであると理解すべきではない。本開示から当業者には様々な代替実施の形態、実施例及び運用技術が明らかになると考えられるべきである。
【００６２】
例えば、第１実施形態の上顎印象用トレー１０では、頬１０６側の顎堤壁部１２の一部分をなす着脱自在の顎堤高調整ピース１２Ａを説明したが、口蓋１０２側の顎堤壁部の一部分が着脱自在に構成されてもよい。すなわち、上顎堤１１１の外側面を覆う顎堤壁部１２だけでなく、内側面を覆う顎堤壁部においても、本発明は適用できる。上顎印象用トレー１０においては、上側に隆起した底部１４の周囲の領域が、上顎堤１１１の内側面を覆う顎堤壁部に対応する。この底部１４の周囲の領域の一部分を着脱自在に構成すればよい。
【００６３】
また、下顎印象用トレー２０において、顎堤壁部２２の頬１０６側と舌１０４側との両側に低顎堤壁部２２Ｘが設けられ、それぞれの低顎堤壁部２２Ｘに、顎堤高調整ピース２２Ａ，２２Ｄが同時に嵌め合わされてもよい。
【００６４】
また、図１４（Ａ）に示した上顎印象用トレー１１のように、顎堤高調整ピース１２Ａ１が、上顎印象用トレー１１の顎堤壁部１２の一部の領域と、この領域に連続して凹部１６をなす底部１４の一部の領域とに亘って構成されてもよい。すなわち、顎堤高調整ピース１２Ａ１は、上顎印象用トレー１１の外縁における外側の顎堤壁部１２の領域だけでなく、顎堤壁部１２より内側に位置する底部１４の隆起した部分の方に張り出してもよい。図１４（Ｂ）に示すように、底部１４の隆起した部分において、顎堤高調整ピース１２Ａ１と嵌合する低顎堤壁部１２Ｘ１が実現される。
【００６５】
図示を省略するが、上顎印象用トレー１１の低顎堤壁部１２Ｘ１にも、第１実施形態の上顎印象用トレー１０の低顎堤壁部１２Ｘの嵌合部４０と同様に、顎堤高調整ピース１２Ａ１と嵌合するための嵌合部が設けられている。また、図示を省略するが、上顎印象用トレー１１の顎堤高調整ピース１２Ａ１にも、第１実施形態の顎堤高調整ピース１２Ａの被嵌合部５０と同様に、被嵌合部が設けられている。上顎印象用トレー１１においても、嵌合部と被嵌合部とを嵌合させることによって、複数の顎堤高調整ピース１２Ａ１の中から患者の上顎堤１１１の顎堤高さに応じて、適切な顎堤高調整ピース１２Ａ１を選択できる。
【００６６】
図１４に示したように、本発明では、低顎堤壁部１２Ｘと顎堤高調整ピース１２Ａ１との境界（継ぎ目）位置が、顎堤壁部１２の位置でなく、底部１４側であってもよい。例えば、境界が、図１４（Ｂ）中の凹部１６において内壁面が最も低い位置に設けられてもよい。すなわち、上顎印象用トレー１１の後側の部分が図１４（Ｂ）中の左右方向の全体に亘って分離することなく、底部１４又は顎堤壁部１２の一部が、低顎堤壁部１２Ｘ１としてベーストレー１０Ａ側に残ればよい。
【００６７】
また、図１５（Ａ）に示すように、下顎印象用トレー２１においても、顎堤高調整ピース２２Ａ１が、顎堤壁部２２の一部の領域と、この顎堤壁部２２の領域に連続する底部２４の領域とに亘って構成されてもよい。図１５（Ｂ）に示すように、下顎印象用トレー２１では、口腔内で頬１０６側に近接する外側の顎堤壁部２２の部分において、顎堤高調整ピース１２Ａ１と嵌合する低顎堤壁部１２Ｘ１が実現される。
【００６８】
図示を省略するが、下顎印象用トレー２１の低顎堤壁部２２Ｘ１にも、第１実施形態の下顎印象用トレー２０の低顎堤壁部２２Ｘの嵌合部６０と同様に、顎堤高調整ピース２２Ａ１と嵌合するための嵌合部が設けられている。また、図示を省略するが、下顎印象用トレー２１の顎堤高調整ピース２２Ａ１にも、第１実施形態の顎堤高調整ピース２２Ａの被嵌合部７０と同様に、被嵌合部が設けられている。下顎印象用トレー２１においても、嵌合部と被嵌合部とを嵌合させることによって、複数の顎堤高調整ピース２２Ａ１の中から患者の下顎堤１２１の顎堤高さに応じて、適切な顎堤高調整ピース２２Ａ１を選択できる。
【００６９】
図１５に示したように、本発明では、低顎堤壁部２２Ｘと顎堤高調整ピース２２Ａ１との境界（継ぎ目）位置が、内側の顎堤壁部１２の位置に限定されず、外側の顎堤壁部１２の位置であってもよい。更に、境界が、底部１４側、例えば図１５（Ｂ）中の凹部２６において内壁面が最も高い位置に設けられてもよい。すなわち、下顎印象用トレー２１の後側の部分が図１５（Ｂ）中の左右方向の全体に亘って分離することなく、底部２４又は顎堤壁部２２の一部が、低顎堤壁部２２Ｘ１としてベーストレー２０Ａ側に残ればよい。
【００７０】
また、図１〜図１３に示したそれぞれの印象用トレーの構成を組み合わせてもよい。例えば、上顎印象用トレー１０及び下顎印象用トレー２０によって、印象用トレーセット（１０，２０）を構成することができる。また、上顎印象用トレー１０及び下顎印象用トレー２０は、それぞれ単独であっても本発明に含まれ得る。
【００７１】
また、部品としての上顎印象用トレー１０のベーストレー１０Ａ、及び、下顎印象用トレー２０のベーストレー２０Ａは、それぞれ本発明に含まれ得る。また、部品としての上顎印象用トレー１０の顎堤高調整ピース１２Ａ〜１２Ｃ、及び、下顎印象用トレー２０の顎堤高調整ピース２２Ａ〜２２Ｆも、それぞれ本発明に含まれ得る。
【００７２】
以上のとおり本発明は、上記に記載していない様々な実施の形態等を含むと共に、本発明の技術的範囲は、上記の説明から妥当な特許請求の範囲の発明特定事項によってのみ定められるものである。
【符号の説明】
【００７３】
１０  印象用トレー（上顎印象用トレー）
１０Ａ  ベーストレー
１１  印象用トレー（上顎印象用トレー）
１２  顎堤壁部
１２Ａ，１２Ａ１，１２Ｂ，１２Ｃ  顎堤高調整ピース
１２Ｘ，１２Ｘ１  低顎堤壁部
１４  底部
２０  印象用トレー（下顎印象用トレー）
２０Ａ  ベーストレー
２１  印象用トレー（下顎印象用トレー）
２２  顎堤壁部
２２Ａ，２２Ａ１，２２Ｂ，２２Ｃ，２２Ｄ，２２Ｅ，２２Ｆ  顎堤高調整ピース
２２Ｘ，２２Ｘ１  低顎堤壁部
２４  底部
４０  嵌合部
５０  被嵌合部
６０  嵌合部
７０  被嵌合部
８０  嵌合部
１１１  上顎堤
１１４，１１５  小臼歯
１１６，１１７  大臼歯
１２１  下顎堤
１２５，１２６  小臼歯
１２７，１２８  大臼歯
【図１】
2020081655.tif 000003
【図２】
2020081655.tif 000004
【図３】
2020081655.tif 000005
【図４】
2020081655.tif 000006
【図５】
2020081655.tif 000007
【図６】
2020081655.tif 000008
【図７】
2020081655.tif 000009
【図８】
2020081655.tif 000010
【図９】
2020081655.tif 000011
【図１０】
2020081655.tif 000012
【図１１】
2020081655.tif 000013
【図１２】
2020081655.tif 000014
【図１３】
2020081655.tif 000015
【図１４】
2020081655.tif 000016
【図１５】
2020081655.tif 000017